【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
空間を封入する組織に治療を提供するための装置であって、前記装置は、
遠位端および近位端を有するカテーテルであって、前記カテーテルは、前記近位端の近傍に治療薬注入ポートを備える、カテーテルと、
前記治療薬注入ポートに結合される前記カテーテルの治療薬送達ポートであって、前記治療薬送達ポートは、前記カテーテルの前記遠位端の近位に配置される、治療薬送達ポートと
を備え、
前記カテーテルは、前記組織で封入される前記空間の中へ、前記封入空間の中への開口部を通して前進されるように構成され、
前記治療薬送達ポートは、前記治療薬注入ポートを通して前記カテーテルの中に導入される治療薬を前記空間に送達するように構成される、
装置。
【請求項２】
前記治療薬送達ポートの近傍で前記カテーテルの前記遠位端に隣接する遠位拡張可能支持体をさらに備える、請求項１に記載の装置。
【請求項３】
前記遠位拡張可能支持体は、遠位膨張部分に流体的に結合され、複数の細孔を備え、前記治療薬注入ポートおよび遠位膨張ポートは、同一のポートであり、前記カテーテルの中に導入される前記治療薬は、前記遠位拡張可能支持体を拡張するように、続いて、前記遠位拡張可能支持体の前記複数の細孔を通して前記空間に進入するように、前記遠位拡張可能支持体に送達される、請求項２に記載の装置。
【請求項４】
前記装置は、前記治療薬が前記空間の中への前記開口部を閉塞することを防止するように構成される、請求項１に記載の装置。
【請求項５】
前記装置はさらに、前記遠位拡張可能支持体に対して近位に位置付けられる近位拡張可能支持体を備える、請求項１に記載の装置。
【請求項６】
前記近位拡張可能支持体は、前記空間内で拡張され、前記組織の内面に対して前記空間に送達される前記治療薬を圧迫するように構成される、請求項５に記載の装置。
【請求項７】
前記近位拡張可能支持体は、近位膨張ポートに流体的に結合され、複数の細孔を備え、前記治療薬注入ポートおよび前記近位膨張ポートは、同一のポートであり、前記カテーテルの中に導入される前記治療薬は、前記近位拡張可能支持体を拡張するように、続いて、前記近位拡張可能支持体の前記複数の細孔を通して前記空間に進入するように、前記近位拡張可能支持体に送達される、請求項５に記載の装置。
【請求項８】
前記近位拡張可能支持体は、前記組織の近位開口部の近傍で拡張され、前記近位開口部を密閉するように構成され、前記治療薬送達ポートは、前記密閉された遠位開口部と前記密閉された近位開口部との間の前記空間の中で前記治療薬を送達するように、前記近位拡張可能支持体に対して遠位に位置付けられる、請求項５に記載の装置。
【請求項９】
前記近位拡張可能支持体は、近位膨張式バルーンを備える、請求項５に記載の装置。
【請求項１０】
前記組織は、前立腺の前立腺被膜を備え、前記近位拡張可能支持体は、前記前立腺の精丘との接触を低減させるように構成される完全拡張形状を有する、請求項５に記載の装置。
【請求項１１】
完全拡張構成時の前記近位拡張可能支持体は、前記近位拡張可能支持体と前記精丘との間の接触を低減させるように、前記前立腺の前記精丘の近傍の設置のために構成される凹面を含む組織を備える、請求項１０に記載の装置。
【請求項１２】
前記近位拡張可能支持体は、非一様な厚さを有する、請求項５に記載の装置。
【請求項１３】
前記カテーテルはさらに、前記治療薬送達ポートに遠位に隣接する治療薬溢流ポートを備え、前記治療薬溢流ポートは、前記空間から過剰な治療薬を除去するように構成される、請求項１に記載の装置。
【請求項１４】
前記治療薬ポートに隣接する前記カテーテルの領域にわたって位置付けられ、前記遠位バルーンに結合されるシースをさらに備え、前記遠位拡張可能支持体の拡張は、前記シースを前記領域から後退または脱離させ、前記治療薬ポートを露出する、請求項１に記載の装置。
【請求項１５】
前記カテーテルは、その近位部分の外側表面上に配置される１つまたは複数の印を備え、前記１つまたは複数の印は、視覚的もしくは触覚的に点検され、前記組織に対する前記カテーテルの場所を判定するように構成される、請求項１に記載の装置。
【手続補正２】
【補正対象書類名】明細書
【補正対象項目名】０１３０
【補正方法】変更
【補正の内容】
【０１３０】
本明細書で記述される全ての出版物、特許、および特許出願は、各個別出版物、特許、または特許出願が、参照することによって組み込まれるように具体的かつ個別に示された場合と同一の程度に、参照することによって本明細書に組み込まれる。
本発明は、例えば、以下を提供する。
（項目１）
空間を封入する組織に治療を提供する方法であって、前記方法は、
前記組織内に封入される前記空間の中へカテーテルを前進させるステップと、
前記カテーテルから前記組織で封入される前記空間に治療薬を適用し、前記組織から前記空間の中への出血を阻止するステップと
を含み、前記治療薬は、前記前進させたカテーテルの遠位端の近位に配置される送達ポートから適用される、
方法。
（項目２）
前記空間への前記組織の遠位開口部に隣接して、前記カテーテルに結合される遠位拡張可能支持体を位置付けるステップと、
前記遠位拡張可能支持体を拡張し、前記遠位開口部を密閉するステップと、
をさらに含む、項目１に記載の方法。
（項目３）
前記遠位拡張可能支持体は、複数の細孔を備え、前記治療薬を適用するステップは、前記治療薬を伴う前記遠位拡張可能支持体を拡張するステップと、前記遠位拡張可能支持体から、前記複数の細孔を通して、前記拡張された遠位拡張可能支持体と前記組織の内面との間の前記空間の中へ前記治療薬を送達するステップとを含む、項目２に記載の方法。
（項目４）
前記治療薬は、前記空間への前記組織の近位開口部、前記組織の前記遠位開口部、およびその間に延在する経路を前記治療薬で閉塞することなく、前記組織の内面に適用される、項目１または２に記載の方法。
（項目５）
前記方法はさらに、少なくとも部分的に前記空間内で、前記カテーテルに結合される近位拡張可能支持体を位置付けるステップを含む、項目１または２に記載の方法。
（項目６）
前記治療薬を適用するステップは、前記カテーテルから前記空間の中へ前記治療薬を送達するステップを含む、項目５に記載の方法。
（項目７）
前記治療薬を送達するステップは、前記組織の前記内面と非拡張構成時の前記近位拡張可能支持体との間の前記空間の中へ前記治療薬を送達するステップを含み、前記方法はさらに、前記近位拡張可能支持体を拡張し、前記組織の前記内面に対して前記治療薬を圧迫するステップを含む、項目６に記載の方法。
（項目８）
前記近位拡張可能支持体は、複数の細孔を備え、前記治療薬を送達するステップは、前記治療薬を伴う前記近位拡張可能支持体を拡張するステップと、前記近位拡張可能支持体から、前記複数の細孔を通して、前記拡張された近位拡張可能支持体と前記組織の内面との間の前記空間の中へ前記治療薬を送達するステップとを含む、項目６に記載の方法。
（項目９）
前記方法はさらに、前記空間への前記組織の近位開口部に隣接して、前記近位拡張可能支持体を位置付けるステップと、前記近位拡張可能支持体を拡張し、前記近位開口部を密閉するステップとを含み、前記治療薬を送達するステップは、前記密閉された遠位開口部と前記密閉された近位開口部との間の前記空間の中へ前記治療薬を送達するステップを含む、項目６に記載の方法。
（項目１０）
前記近位拡張可能支持体を拡張するステップと、前記近位開口部と前記遠位開口部との間の前記カテーテルの縦軸に沿って前記拡張された近位拡張可能支持体を移動させ、前記組織空間の前記内面にわたって前記治療薬を拡散するステップとをさらに含む、項目６に記載の方法。
（項目１１）
前記カテーテルの溢流ポートを通して、前記空間から過剰な治療薬を除去するステップをさらに含む、項目６に記載の方法。
（項目１２）
球形、環状形、円筒形、円錐形、双対錐、不整形、またはダンベル形のうちの１つもしくはそれを上回るものまで、前記近位拡張可能支持体を拡張するステップをさらに含む、項目５に記載の方法。
（項目１３）
前記近位拡張可能支持体は、近位膨張式バルーンを備え、前記近位膨張式バルーンを膨張させるステップをさらに含む、項目５に記載の方法。
（項目１４）
前記近位拡張可能支持体を拡張し、前記組織の前記内面に対して前記治療薬を圧迫するステップをさらに含む、項目５に記載の方法。
（項目１５）
前記近位拡張可能支持体は、完全拡張構成まで拡張される、項目１４に記載の方法。
（項目１６）
前記近位拡張可能支持体を拡張するステップは、前記組織に対して圧力を印加するステップを含み、前記印加された圧力は、対象の血圧を上回る、項目１４に記載の方法。
（項目１７）
前記対象の前記血圧を判定するステップをさらに含む、項目１６に記載の方法。
（項目１８）
前記近位拡張可能支持体を可視化するステップをさらに含む、項目５に記載の方法。
（項目１９）
前記近位拡張可能支持体を可視化するステップは、超音波を用いて前記近位拡張可能支持体を可視化するステップを含む、項目１８に記載の方法。
（項目２０）
前記近位拡張可能支持体を可視化するステップは、前記近位拡張可能支持体に結合される１つまたはそれを上回る放射線不透過性マーカを可視化するステップを含む、項目１８に記載の方法。
（項目２１）
前記組織は、前立腺の前立腺被膜を備え、前記方法はさらに、完全拡張構成時の前記拡張された近位拡張可能支持体と前記前立腺の精丘との間の接触を低減させる様式で、前記空間内で前記近位拡張可能支持体を拡張するステップを含む、項目５に記載の方法。
（項目２２）
前記完全拡張構成時の前記拡張された近位拡張可能支持体は、前記前立腺の前記精丘の近傍の領域中に凹面を備える、項目２１に記載の方法。
（項目２３）
前記カテーテルまたは前記近位拡張可能支持体のうちの１つもしくはそれを上回るものは、前記凹面のためのユーザが知覚可能な印を備える、項目２２に記載の方法。
（項目２４）
前記治療薬は、シースによって被覆され、前記治療薬を適用するステップは、前記シースを前記治療薬から後退または脱離させる様式で、前記空間内で前記近位拡張可能支持体を拡張し、前記治療薬を前記組織に暴露させるステップを含む、項目５に記載の方法。
（項目２５）
前記近位拡張可能支持体は、近位膨張式バルーンを備え、前記遠位拡張可能支持体は、遠位膨張式バルーンを備え、前記近位および遠位バルーンは、相互と流体連通する、項目５に記載の方法。
（項目２６）
前記近位拡張可能支持体および前記遠位拡張可能支持体は、相互と連続的であり、拡張可能近位部分および拡張可能遠位部分を有する、単一の拡張可能支持体アセンブリをともに備える、項目５に記載の方法。
（項目２７）
前記治療薬を適用するステップは、前記空間内に足場を提供するステップと、前記組織の内面に対して前記足場を圧迫するステップとを含む、項目５に記載の方法。
（項目２８）
前記足場は、前記近位拡張可能支持体の外面の少なくとも一部にわたって配置され、前記足場を圧迫するステップは、前記近位拡張可能支持体を拡張して前記足場を拡張し、それによって、前記組織の前記内面に対して前記足場を圧迫するステップを含む、項目２７に記載の方法。
（項目２９）
前記足場はさらに、前記遠位拡張可能支持体の外面の少なくとも一部にわたって配置され、前記遠位拡張可能支持体を拡張するステップは、前記足場を拡張し、前記遠位開口部の近傍の前記組織の前記内面に対して前記足場を圧迫する、項目２８に記載の方法。
（項目３０）
球形、環状形、円筒形、円錐形、双対錐、不整形、またはダンベル形のうちの１つもしくはそれを上回るものまで、前記遠位拡張可能支持体を拡張するステップをさらに含む、項目２に記載の方法。
（項目３１）
前記遠位拡張可能支持体は、遠位膨張式バルーンを備え、前記遠位拡張可能支持体を拡張するステップは、前記遠位膨張式バルーンを膨張させるステップを含む、項目２に記載の方法。
（項目３２）
前記遠位拡張可能支持体は、完全拡張構成まで拡張される、項目２に記載の方法。
（項目３３）
前記カテーテルは、エネルギーを前記組織空間の所定の外形に送達するように構成される送達プローブを備え、前記治療薬を適用するステップは、前記送達プローブから前記組織空間の前記所定の外形に前記治療薬を送達するステップを含む、項目１または２に記載の方法。
（項目３４）
前記方法はさらに、第１の流速で前記送達プローブから前記組織にエネルギーを送達して前記組織を切除し、それによって、前記所定の外形を有する前記組織空間を作成するステップを含み、前記治療薬を送達するステップは、前記第１の流速よりも低い第２の流速で前記治療薬を送達するステップを含む、項目３３に記載の方法。
（項目３５）
前記方法はさらに、前記カテーテルの吸引ポートを通して、前記空間から切除された組織および流体を吸引するステップと、前記所定の外形まで前記空間に吹送するステップとを含む、項目３４に記載の方法。
（項目３６）
前記組織は、前立腺の前立腺被膜を備え、前記近位開口部は、尿道への開口部を備え、前記遠位開口部は、前記前立腺と膀胱と間の膀胱頸部を備え、前記遠位バルーンを位置付けるステップは、前記膀胱頸部に隣接して前記膀胱内に前記遠位バルーンを位置付けるステップを含み、前記遠位バルーンを拡張するステップは、前記膀胱頸部を密閉するステップを含む、項目１または２に記載の方法。
（項目３７）
前記空間の中へ前進される前記カテーテルの近位部分の外側表面上に位置付けられる、１つまたはそれを上回る印の目視もしくは触覚検査に応答して、前記カテーテルの場所を判定するステップをさらに含む、項目１または２に記載の方法。
（項目３８）
前記１つまたはそれを上回る印は、前記カテーテルの前記近位部分の前記外側表面上に位置付けられる複数のバンドを備える、項目３７に記載の方法。
（項目３９）
前記遠位拡張可能支持体を可視化するステップをさらに含む、項目２に記載の方法。
（項目４０）
前記遠位拡張可能支持体を可視化するステップは、超音波を用いて前記遠位拡張可能支持体を可視化するステップを含む、項目３９に記載の方法。
（項目４１）
前記遠位拡張可能支持体を可視化するステップは、前記遠位拡張可能支持体に結合される１つまたはそれを上回る放射線不透過性マーカを可視化するステップを含む、項目３９に記載の方法。
（項目４２）
前記治療薬は、止血剤を含む、項目１または２に記載の方法。
（項目４３）
前記治療薬は、封止剤を含む、項目１または２に記載の方法。
（項目４４）
空間を封入する組織に治療を提供するための装置であって、前記装置は、
遠位端および近位端を有するカテーテルであって、前記カテーテルは、前記近位端の近傍に治療薬注入ポートを備える、カテーテルと、
前記治療薬注入ポートに結合される前記カテーテルの治療薬送達ポートであって、前記治療薬送達ポートは、前記カテーテルの前記遠位端の近位に配置される、治療薬送達ポートと
を備え、
前記カテーテルは、前記組織で封入される前記空間の中へ、前記封入空間の中への開口部を通して前進されるように構成され、
前記治療薬送達ポートは、前記治療薬注入ポートを通して前記カテーテルの中に導入される治療薬を前記空間に送達するように構成される、
装置。
（項目４５）
前記治療薬送達ポートの近傍で前記カテーテルの前記遠位端に隣接する遠位拡張可能支持体をさらに備える、項目４４に記載の装置。
（項目４６）
前記遠位拡張可能支持体は、遠位膨張部分に流体的に結合され、複数の細孔を備え、前記治療薬注入ポートおよび前記遠位膨張ポートは、同一のポートであり、前記カテーテルの中に導入される前記治療薬は、前記遠位拡張可能支持体を拡張するように、続いて、前記遠位拡張可能支持体の前記複数の細孔を通して前記空間に進入するように、前記遠位拡張可能支持体に送達される、項目４５に記載の装置。
（項目４７）
前記装置は、前記治療薬が前記空間の中への前記開口部を閉塞することを防止するように構成される、項目４４に記載の装置。
（項目４８）
前記装置はさらに、前記遠位拡張可能支持体に対して近位に位置付けられる近位拡張可能支持体を備える、項目４４に記載の装置。
（項目４９）
前記近位拡張可能支持体は、前記空間内で拡張され、前記組織の内面に対して前記空間に送達される前記治療薬を圧迫するように構成される、項目４８に記載の装置。
（項目５０）
前記近位拡張可能支持体は、近位膨張ポートに流体的に結合され、複数の細孔を備え、前記治療薬注入ポートおよび前記近位膨張ポートは、同一のポートであり、前記カテーテルの中に導入される前記治療薬は、前記近位拡張可能支持体を拡張するように、続いて、前記近位拡張可能支持体の前記複数の細孔を通して前記空間に進入するように、前記近位拡張可能支持体に送達される、項目４８に記載の装置。
（項目５１）
前記近位拡張可能支持体は、前記組織の近位開口部の近傍で拡張され、前記近位開口部を密閉するように構成され、前記治療薬送達ポートは、前記密閉された遠位開口部と前記密閉された近位開口部との間の前記空間の中で前記治療薬を送達するように、前記近位拡張可能支持体に対して遠位に位置付けられる、項目４８に記載の装置。
（項目５２）
前記近位拡張可能支持体に結合される作動機構をさらに備え、前記作動機構は、前記近位開口部と前記遠位開口部との間の前記カテーテルの縦軸に沿って、拡張構成で前記近位拡張可能支持体を移動させ、前記組織の前記内面にわたって前記治療薬を拡散するように構成される、項目４８に記載の装置。
（項目５３）
前記近位拡張可能支持体は、拡張されたときに、球形、環状形、円筒形、円錐形、双対錐、不整形、またはダンベル形のうちの１つもしくはそれを上回るものを有するように構成される、項目４８に記載の装置。
（項目５４）
前記近位拡張可能支持体は、近位膨張式バルーンを備える、項目４８に記載の装置。
（項目５５）
前記組織は、前立腺の前立腺被膜を備え、前記近位拡張可能支持体は、前記前立腺の精丘との接触を低減させるように構成される完全拡張形状を有する、項目４８に記載の装置。
（項目５６）
前記完全拡張構成時の前記近位拡張可能支持体は、前記近位拡張可能支持体と前記精丘との間の接触を低減させるように、前記前立腺の前記精丘の近傍の設置のために構成される凹面を含む組織を備える、項目５５に記載の装置。
（項目５７）
前記近位拡張可能支持体はさらに、前記凹面のためのユーザが知覚可能な印を備える、項目５６に記載の装置。
（項目５８）
前記近位拡張可能支持体の外側表面の少なくとも一部は、テクスチャ加工される、項目４８に記載の装置。
（項目５９）
前記近位拡張可能支持体は、可視化を補助する超音波高エコー輝度材料または放射線不透過性マーカのうちの１つもしくはそれを上回るものを備える、項目４８に記載の装置。
（項目６０）
前記近位拡張可能支持体は、非一様な厚さを有する、項目４８に記載の装置。
（項目６１）
前記近位拡張可能支持体の前記非一様な厚さは、所定の形状を前記近位バルーンに提供するように構成される、項目６０に記載の装置。
（項目６２）
前記近位拡張可能支持体は、柔軟材料または非柔軟材料のうちの１つもしくはそれを上回るものを備える、項目４８に記載の装置。
（項目６３）
前記近位拡張可能支持体の少なくとも一部は、治療薬でコーティングされる、項目４８に記載の装置。
（項目６４）
前記カテーテルはさらに、前記治療薬送達ポートに遠位に隣接する治療薬溢流ポートを備え、前記治療薬溢流ポートは、前記空間から過剰な治療薬を除去するように構成される、項目４４に記載の装置。
（項目６５）
前記組織は、前立腺の前立腺被膜を備え、前記近位開口部は、尿道への開口部を備え、前記遠位開口部は、前記前立腺と膀胱と間の膀胱頸部を備え、前記遠位バルーンは、前記膀胱の中へ前進され、拡張されたときに前記膀胱頸部に係合するように定寸および成形される、項目４４に記載の装置。
（項目６６）
前記遠位拡張可能支持体は、拡張されたときに、球形、環状形、円筒形、円錐形、双対錐、不整形、またはダンベル形のうちの１つもしくはそれを上回るものを有するように構成される、項目４４に記載の装置。
（項目６７）
前記遠位拡張可能支持体の外側表面の少なくとも一部は、テクスチャ加工される、項目４４に記載の装置。
（項目６８）
前記遠位拡張可能支持体は、可視化を補助する超音波高エコー輝度材料または放射線不透過性マーカのうちの１つもしくはそれを上回るものを備える、項目４４に記載の装置。
（項目６９）
前記遠位拡張可能支持体は、非一様な厚さを有する、項目４４に記載の装置。
（項目７０）
前記遠位拡張可能支持体の前記非一様な厚さは、所定の形状を前記遠位拡張可能支持体に提供するように構成される、項目６９に記載の装置。
（項目７１）
前記遠位拡張可能支持体は、柔軟材料または非柔軟材料のうちの１つもしくはそれを上回るものを備える、項目４４に記載の装置。
（項目７２）
前記遠位拡張可能支持体の少なくとも一部は、止血剤でコーティングされる、項目４４に記載の装置。
（項目７３）
前記治療薬ポートに隣接する前記カテーテルの領域にわたって位置付けられ、前記遠位バルーンに結合される、シースをさらに備え、前記遠位拡張可能支持体の拡張は、前記シースを前記領域から後退または脱離させ、前記治療薬ポートを露出する、項目４４に記載の装置。
（項目７４）
前記カテーテルは、その近位部分の外側表面上に配置される１つまたはそれを上回る印を備え、前記１つまたはそれを上回る印は、視覚的もしくは触覚的に点検され、前記組織に対する前記カテーテルの場所を判定するように構成される、項目４４に記載の装置。
（項目７５）
前記１つまたはそれを上回る印は、前記カテーテルの前記近位部分の前記外側表面上に位置付けられる複数のバンドを備える、項目７４に記載の装置。
（項目７６）
治療薬は、止血剤を含み、前記治療薬送達ポートは、前記空間まで前記カテーテル治療薬注入ポートの中へ前記止血剤を送達し、前記組織の出血を阻止するように構成される、項目７４に記載の装置。
（項目７７）
治療薬は、封止剤を含み、前記治療薬送達ポートは、前記空間まで前記カテーテル治療薬注入ポートの中へ前記封止剤を送達し、前記組織の出血を阻止するように構成される、項目７４に記載の装置。
（項目７８）
空間を封入する組織に止血を提供するための装置であって、前記装置は、
遠位端および近位端を有するカテーテルであって、前記カテーテルは、遠位バルーン膨張ポートと、前記近位端における近位バルーン膨張ポートとを備える、カテーテルと、
前記カテーテルの前記遠位端に隣接する遠位バルーンであって、前記遠位バルーンは、前記遠位バルーン膨張ポートに流体的に結合される、遠位バルーンと、
前記遠位バルーンに近位に隣接する近位バルーンであって、前記近位バルーンは、前記近位バルーン膨張ポートに流体的に結合される、近位バルーンと、
前記近位バルーンの外面の少なくとも一部にわたって配置される封止剤足場と
を備え、
前記カテーテルは、前記組織の近位開口部を通して前記空間の中へ前進されるように構成され、
前記遠位バルーンは、前記組織の遠位開口部の近傍で拡張され、前記遠位開口部を密閉するように構成され、
前記近位バルーンは、前記空間で拡張され、それによって、前記組織の内面に対して前記封止剤足場を拡張して圧迫するように構成される、
装置。
（項目７９）
前記封止剤足場はさらに、前記遠位バルーンの外面の少なくとも一部にわたって配置され、前記遠位バルーンを拡張するステップは、前記封止剤足場を拡張し、前記遠位開口部の近傍の前記組織空間の前記内面に対して前記封止剤足場を圧迫する、項目７８に記載の装置。
（項目８０）
空間を封入する組織に止血を提供するための装置であって、前記装置は、
近位端および遠位端を有する送達プローブであって、前記送達プローブは、前記組織の近位開口部を通して前記空間の中へ前進されるように構成され、前記近位開口部を通して封止剤を送達する前記遠位端の近傍の開口部を備える、送達プローブと、
前記送達プローブに動作可能に結合され、前記送達プローブからの前記封止剤の送達を制御し、前記封止剤を前記組織空間の所定の外形に送達するように構成される、プロセッサと
を備える、装置。
（項目８１）
前記装置は、前記封止剤が前記近位開口部を閉塞することを防止するように構成される、項目８０に記載の装置。
（項目８２）
前記送達プローブの前記遠位端に隣接する遠位バルーンと、前記送達プローブの前記近位端における遠位バルーン膨張ポートとをさらに備え、前記遠位バルーンは、前記組織の遠位開口部の近傍で拡張され、前記遠位開口部を密閉するように構成される、項目８０に記載の装置。
（項目８３）
前記送達プローブはさらに、前記遠位端の近傍に吸引ポートを備え、前記吸引ポートは、前記空洞から切除された組織および流体を除去するように構成される、項目８０に記載の装置。
（項目８４）
前記送達プローブはさらに、前記遠位端の近傍に吹送ポートを備え、前記吹送ポートは、前記所定の外形まで前記空洞に吹送するように構成される、項目８３に記載の装置。
（項目８５）
前立腺の前立腺被膜内で止血を提供する方法であって、前記方法は、
前記前立腺被膜の近位開口部を通して、前記前立腺被膜の中へカテーテルを前進させるステップと、
前記前立腺被膜の遠位開口部に隣接して、前記カテーテルに結合される拡張可能支持体を位置付けるステップと、
前記拡張可能支持体を拡張し、前記遠位開口部を密閉するステップと、
前記カテーテルから前記前立腺被膜の前記内面に止血剤を適用し、出血を阻止するステップと
を含む、方法。
（項目８６）
前記止血剤は、前記近位開口部、前記遠位開口部、およびその間に延在する経路を前記止血剤で閉塞することなく、前記前立腺被膜の前記内面に適用される、項目８５に記載の方法。
（項目８７）
前記止血剤を適用するステップは、前記カテーテルから前記前立腺被膜の中へ封止剤を送達するステップを含む、項目８５に記載の方法。
（項目８８）
前記封止剤は、前記拡張可能支持体の近傍に配置される送達ポートを通して送達される、項目８７に記載の方法。
（項目８９）
前記封止剤を送達するステップは、前記前立腺被膜の前記内面と非拡張構成時の前記拡張可能支持体との間の前記前立腺被膜の中へ前記封止剤を送達するステップを含み、前記方法はさらに、前記拡張可能支持体を拡張し、前記前立腺被膜の前記内面に対して前記封止剤を圧迫するステップを含む、項目８７に記載の方法。
（項目９０）
前記拡張可能支持体は、複数の細孔を備え、前記封止剤を送達するステップは、前記封止剤を伴う前記拡張可能支持体を拡張するステップと、前記拡張可能支持体から、前記複数の細孔を通して、前記拡張された拡張可能支持体と前記前立腺被膜の前記内面との間の前記前立腺被膜の中へ前記封止剤を送達するステップとを含む、項目８７に記載の方法。
（項目９１）
前記カテーテルの封止剤溢流ポートを通して、前記空洞から過剰な封止剤を除去するステップをさらに含む、項目８７に記載の方法。
（項目９２）
前記止血剤を適用するステップは、前記前立腺被膜内に封止剤足場を提供するステップと、前記前立腺被膜の前記内面に対して前記封止剤足場を圧迫するステップとを含む、項目８７に記載の方法。
（項目９３）
前記封止剤足場は、前記拡張可能支持体の外面の少なくとも一部にわたって配置され、前記封止剤足場を圧迫するステップは、前記拡張可能支持体を拡張して前記封止剤足場を拡張し、それによって、前記前立腺被膜の前記内面に対して前記封止剤足場を圧迫するステップを含む、項目９２に記載の方法。
（項目９４）
前記カテーテルは、エネルギーを前記組織空間の所定の外形に送達するように構成される送達プローブを備え、前記止血剤を適用するステップは、前記送達プローブから前記組織空間の前記所定の外形に封止剤を送達するステップを含む、項目８５に記載の方法。
（項目９５）
前記方法はさらに、第１の流速で前記送達プローブから前記組織空間にエネルギーを送達して前記組織空間を切除し、それによって、前記所定の外形を有する前記空洞を作成するステップを含み、前記封止剤を送達するステップは、前記第１の流速よりも低い第２の流速で前記封止剤を送達するステップを含む、項目９４に記載の方法。
（項目９６）
前記方法はさらに、前記カテーテルの吸引ポートを通して、前記空洞から切除された組織および流体を吸引するステップと、前記所定の外形まで前記空洞に吹送するステップとを含む、項目９５に記載の方法。
（項目９７）
前記近位開口部は、尿道への開口部を備え、前記遠位開口部は、前記前立腺と膀胱と間の膀胱頸部を備え、前記遠位バルーンを位置付けるステップは、前記膀胱頸部に隣接して前記膀胱内に前記遠位バルーンを位置付けるステップを含み、前記遠位バルーンを拡張するステップは、前記膀胱頸部を密閉するステップを含む、項目８５に記載の方法。
（項目９８）
前記拡張可能支持体を拡張するステップは、対象の血圧を上回る圧力まで前記拡張可能支持体を拡張するステップを含む、項目８５に記載の方法。
（項目９９）
前記標的圧力は、患者の血圧に応答して判定される、項目９８に記載の方法。
（項目１００）
前記対象の前記血圧を判定するステップをさらに含む、項目９９に記載の方法。
（項目１０１）
前記拡張可能支持体を可視化するステップをさらに含む、項目８５に記載の方法。
（項目１０２）
前記拡張可能支持体を可視化するステップは、超音波で前記拡張可能支持体を可視化するステップを含む、項目１０１に記載の方法。
（項目１０３）
前記拡張可能支持体を可視化するステップは、前記拡張可能支持体に結合される１つまたはそれを上回る放射線不透過性マーカを可視化するステップを含む、項目１０１に記載の方法。
（項目１０４）
前記拡張可能支持体を拡張するステップは、球形、環状形、円筒形、円錐形、双対錐、不整形、またはダンベル形のうちの１つもしくはそれを上回るものまで、前記拡張可能支持体を拡張するステップを含む、項目８５に記載の方法。
（項目１０５）
前記拡張可能支持体は、完全拡張構成時の前記拡張された拡張可能支持体と前記前立腺の精丘との間の接触を低減させる様式で拡張される、項目８５に記載の方法。
（項目１０６）
前記完全拡張構成時の前記拡張された拡張可能支持体は、前記前立腺の前記精丘の近傍の領域中に凹面を備える、項目１０５に記載の方法。
（項目１０７）
前記カテーテルまたは前記拡張可能支持体のうちの１つもしくはそれを上回るものは、前記凹面のためのユーザが知覚可能な印を備える、項目１０６に記載の方法。
（項目１０８）
前記止血剤は、シースによって被覆され、前記拡張可能支持体を拡張するステップは、前記シースを前記止血剤から後退または脱離させ、前記止血剤を露出する、項目８５に記載の方法。
（項目１０９）
拡張可能支持体は、膨張式バルーンを備え、前記拡張可能支持体を拡張するステップは、前記膨張式バルーンを膨張させるステップを含む、項目８５に記載の方法。
（項目１１０）
前記拡張可能支持体は、遠位拡張可能支持体を備え、前記方法はさらに、少なくとも部分的に前記前立腺空洞内で、前記カテーテルに結合される近位拡張可能支持体を位置付けるステップを含む、項目８５に記載の方法。
（項目１１１）
前記止血剤を送達するステップは、前記前立腺被膜の前記内面と非拡張構成時の前記近位拡張可能支持体との間の前記前立腺被膜の中へ前記止血剤を送達するステップを含み、前記方法はさらに、前記近位拡張可能支持体を拡張し、前記前立腺被膜の前記内面に対して前記封止剤を圧迫するステップを含む、項目１１０に記載の方法。
（項目１１２）
前記方法はさらに、前記近位開口部に隣接して前記近位拡張可能支持体を位置付けるステップと、前記近位拡張可能支持体を拡張し、前記近位開口部を密閉するステップとを含み、前記封止剤を送達するステップは、前記密閉された遠位開口部と前記密閉された近位開口部との間の前記空洞の中へ前記封止剤を送達するステップを含む、項目１１０に記載の方法。
（項目１１３）
前記近位拡張可能支持体を拡張するステップと、前記近位開口部と前記遠位開口部との間の前記カテーテルの縦軸に沿って前記拡張された近位拡張可能支持体を移動させ、前記前立腺被膜の前記内面にわたって前記封止剤を拡散するステップとをさらに含む、項目１１０に記載の方法。
（項目１１４）
前記近位拡張可能支持体は、近位膨張式バルーンを備え、前記近位拡張可能支持体を拡張するステップは、前記近位膨張式バルーンを膨張させるステップを含む、項目１１０に記載の方法。
（項目１１５）
前記拡張可能支持体は、前記近位拡張可能支持体と、前記遠位拡張可能支持体とを備え、前記遠位拡張可能支持体は、前記近位バルーンと流体連通する遠位バルーンを備え、前記近位膨張式バルーンを膨張させるステップはまた、前記遠位膨張式バルーンも膨張させる、項目１１４に記載の方法。
（項目１１６）
前記空間の中へ前進される前記カテーテルの近位部分の外側表面上に位置付けられる、１つまたはそれを上回る印の目視もしくは触覚検査に応答して、前記カテーテルの場所を判定するステップをさらに含む、項目８５に記載の方法。
（項目１１７）
前記１つまたはそれを上回る印は、前記カテーテルの前記近位部分の前記外側表面上に位置付けられる複数のバンドを備える、項目１１６に記載の方法。
（項目１１８）
出血組織空間の内面によって画定される空洞内で止血を提供するための装置であって、前記装置は、
遠位端および近位端を有するカテーテルであって、前記カテーテルは、前記遠位端の近傍の遠位バルーン膨張ポートと、前記近位端における封止剤注入ポートとを備える、カテーテルと、
前記カテーテルの前記遠位端に隣接するバルーンであって、前記バルーンは、前記遠位バルーン膨張ポートに流体的に結合される、バルーンと、
前記バルーンに近位に隣接する前記カテーテルの封止剤送達ポートであって、前記封止剤送達ポートは、前記封止剤注入ポートに流体的に結合される、封止剤送達ポートと、
を備え、
前記カテーテルは、前記組織空間の近位開口部を通して前記空洞の中へ前進されるように構成され、
前記バルーンは、前記組織空間の遠位開口部の近傍で拡張され、前記遠位開口部を可逆的に密閉するように構成され、
前記封止剤送達ポートは、前記封止剤注入ポートを通して前記カテーテルの中に導入される封止剤を前記空洞に送達し、前記組織空間の出血を阻止するように構成される、
装置。
（項目１１９）
前記装置は、前記封止剤が、前記遠位開口部、前記近位開口部、およびその間に延在する経路を閉塞することを防止するように構成される、項目１１８に記載の装置。
（項目１２０）
前記バルーンは、遠位バルーンを備え、前記カテーテルはさらに、前記近位端に近位バルーン膨張ポートを備え、前記装置はさらに、前記遠位バルーンに対して近位に位置付けられる近位バルーンを備える、項目１１８に記載の装置。
（項目１２１）
前記近位バルーンは、前記空洞内で拡張され、前記組織空間の前記内面に対して前記空洞に送達される前記封止剤を圧迫するように構成される、項目１２０に記載の装置。
（項目１２２）
前記近位バルーンは、複数の細孔を備え、前記封止剤注入ポートおよび前記近位バルーン膨張ポートは、同一のポートであり、前記カテーテルの中に導入される前記封止剤は、前記近位バルーンを拡張するように、続いて、前記近位バルーンの前記複数の細孔を通して前記空洞に進入するように、前記近位バルーンに送達される、項目１２０に記載の装置。
（項目１２３）
前記近位バルーンは、前記組織空間の近位開口部の近傍で拡張され、前記近位開口部を密閉するように構成され、前記封止剤送達ポートは、前記密閉された遠位開口部と前記密閉された近位開口部との間の前記空洞の中で前記封止剤を送達するように、前記近位バルーンに対して遠位に位置付けられる、項目１２０に記載の装置。
（項目１２４）
前記近位バルーンに結合される作動機構をさらに備え、前記作動機構は、前記近位開口部と前記遠位開口部との間の前記カテーテルの縦軸に沿って、拡張構成で前記近位バルーンを移動させ、前記組織空間の前記内面にわたって前記封止剤を拡散するように構成される、項目１２０に記載の装置。
（項目１２５）
前記カテーテルはさらに、前記封止剤送達ポートに遠位に隣接する封止剤溢流ポートを備え、前記封止剤溢流ポートは、前記空洞から過剰な封止剤を除去するように構成される、項目１１８に記載の装置。
（項目１２６）
前記組織空間は、前立腺の前立腺被膜を備え、前記近位開口部は、尿道への開口部を備え、前記遠位開口部は、前記前立腺と膀胱と間の膀胱頸部を備え、前記遠位バルーンは、前記膀胱の中へ前進され、拡張されたときに前記膀胱頸部に係合するように定寸および成形される、項目１１８に記載の装置。
（項目１２７）
出血組織空間の内面によって画定される空洞内で止血を提供するための装置であって、前記装置は、
遠位端および近位端を有するカテーテルであって、前記カテーテルは、前記遠位端の近傍の遠位バルーン膨張ポートと、前記近位端の近傍の近位バルーン膨張ポートとを備える、カテーテルと、
前記カテーテルの前記遠位端に隣接する遠位バルーンであって、前記遠位バルーンは、前記遠位バルーン膨張ポートに流体的に結合される、遠位バルーンと、
前記遠位バルーンに近位に隣接する近位バルーンであって、前記近位バルーンは、前記近位バルーン膨張ポートに流体的に結合される、近位バルーンと、
前記近位バルーンの外面の少なくとも一部にわたって配置される封止剤足場と
を備え、
前記カテーテルは、前記組織空間の近位開口部を通して前記空間の中へ前進されるように構成され、
前記遠位バルーンは、前記組織空間の遠位開口部の近傍で拡張され、前記遠位開口部を密閉するように構成され、
前記近位バルーンは、前記空間で拡張され、それによって、前記組織空間の前記内面に対して前記封止剤足場を拡張して圧迫するように構成される、
方法。
（項目１２８）
前記封止剤足場はさらに、前記遠位バルーンの外面の少なくとも一部にわたって配置され、前記遠位バルーンを拡張するステップは、前記封止剤足場を拡張し、前記遠位開口部の近傍の前記組織空間の前記内面に対して前記封止剤足場を圧迫する、項目１２７に記載の装置。
（項目１２９）
出血組織空間の内面によって画定される空洞内で非侵襲的に止血を提供するための装置であって、前記装置は、
近位端および遠位端を有する送達プローブであって、前記送達プローブは、前記組織空間の近位開口部を通して前記空間の中へ前進されるように構成され、前記開口部を通して前記空洞の中へ封止剤を送達する、前記遠位端の近傍の開口部を備える、送達プローブと、
前記送達プローブに動作可能に結合され、前記送達プローブからの前記封止剤の送達を制御し、前記封止剤を前記組織空間の所定の外形に送達するように構成される、プロセッサと
を備える、装置。
（項目１３０）
前記装置は、前記封止剤が、前記遠位開口部、前記近位開口部、およびその間に延在する経路を閉塞することを防止するように構成される、項目１２９に記載の装置。
（項目１３１）
前記送達プローブの前記遠位端に隣接する遠位バルーンと、前記送達プローブの前記近位端における遠位バルーン膨張ポートとをさらに備え、前記遠位バルーンは、前記組織空間の遠位開口部の近傍で拡張され、前記遠位開口部を密閉するように構成される、項目１２９に記載の装置。
（項目１３２）
前記送達プローブはさらに、前記遠位端の近傍に吸引ポートを備え、前記吸引ポートは、前記空洞から切除された組織および流体を除去するように構成される、項目１２９に記載の装置。
（項目１３３）
前記送達プローブはさらに、前記遠位端の近傍に吹送ポートを備え、前記吹送ポートは、前記所定の外形まで前記空洞に吹送するように構成される、項目１３２に記載の装置。
（項目１３４）
空間を封入する組織に止血を提供する方法であって、前記組織は、前記空間への近位開口部および遠位開口部を有し、前記方法は、
前記組織の近位開口部を通して、前記空間の中へカテーテルを前進させるステップと、
前記カテーテルから前記組織の内面に止血剤を適用し、前記近位開口部、前記遠位開口部、およびその間に延在する経路を前記止血剤で閉塞することなく、前記組織の出血を阻止するステップと
を含む、方法。
（項目１３５）
空間を封入する組織に止血を提供するための装置であって、前記装置は、
遠位端および近位端を有するカテーテルと、
前記近位端の近傍のカテーテルバルーン膨張ポートと、
前記バルーン膨張ポートに流体的に結合されるバルーンと、
前記バルーンを用いて支持される封止剤および治療剤と
を備え、
前記カテーテルは、前記組織の近位開口部を通して前記空間の中へ前進されるように構成され、
前記バルーンは、前記空間内で拡張され、それによって、前記組織の内面に対して前記封止剤を拡張して押勢するように構成される、
装置。
（項目１３６）
空間を封入する組織に止血を提供するための装置であって、前記装置は、
遠位端および近位端を有するカテーテルと、
前記近位端の近傍のカテーテルバルーン膨張ポートと、
前記カテーテルの前記遠位端に結合される拡張可能部材と、
前記拡張可能部材を用いて支持される封止剤および治療剤と
を備え、
前記カテーテルは、前記組織の近位開口部を通して前記空間の中へ前進されるように構成され、
前記拡張可能部材は、前記空間内で拡張され、それによって、前記組織の内面に対して前記封止剤を拡張して押勢するように構成される、
装置。
（項目１３７）
前記拡張可能部材は、自己拡張式ニチノールステント、ポリマーベースのステント、溶解可能ステント、１つまたはそれを上回るステープル、１つまたはそれを上回る縫合糸、１つまたはそれを上回る返し、もしくはそれらの任意の組み合わせのうちの１つまたはそれを上回るものを備える、項目１３６に記載の装置。
（項目１３８）
対象の空間を封入する組織に止血を提供する方法であって、前記方法は、
前記組織内に封入される前記空間の中へカテーテルを適用するステップと、
前記空間への前記組織の遠位開口部に隣接して、前記カテーテルに結合される拡張可能支持体を位置付けるステップと、
前記対象の血圧を上回るバルーン圧力まで前記拡張可能支持体を拡張し、それによって、前記拡張可能支持体を用いて圧迫を前記組織に印加するステップと
を含み、前記バルーン圧力は、前記対象の血圧に応答して判定される、
方法。
（項目１３９）
前記対象の前記血圧を判定するステップをさらに含む、項目１３８に記載の方法。
（項目１４０）
前記拡張可能支持体を可視化するステップをさらに含む、項目１３８に記載の方法。
（項目１４１）
前記拡張可能支持体を可視化するステップは、超音波で前記拡張可能支持体を可視化するステップを含む、項目１４０に記載の方法。
（項目１４２）
前記拡張可能支持体を可視化するステップは、前記拡張可能支持体に結合される１つまたはそれを上回る放射線不透過性マーカを可視化するステップを含む、項目１４０に記載の方法。
（項目１４３）
前記拡張可能支持体を拡張するステップは、球形、環状形、円筒形、円錐形、双対錐、不整形、またはダンベル形のうちの１つもしくはそれを上回るものまで、前記拡張可能支持体を拡張するステップを含む、項目１３８に記載の方法。
（項目１４４）
前記拡張可能支持体は、膨張式バルーンを備え、前記拡張可能支持体を拡張するステップは、前記膨張式バルーンを膨張させるステップを含む、項目１３８に記載の方法。
（項目１４５）
前記組織は、前立腺の前立腺被膜を備え、前記拡張可能支持体を拡張するステップは、完全拡張構成時の前記拡張された拡張可能支持体と前記前立腺の精丘との間の接触を低減させるステップを含む、項目１３８に記載の方法。
（項目１４６）
前記完全拡張構成時の前記拡張された拡張可能支持体は、前記前立腺の前記精丘の近傍の領域中に凹面を備える、項目１４５に記載の方法。
（項目１４７）
前記カテーテルまたは前記拡張可能支持体のうちの１つもしくはそれを上回るものは、前記凹面のためのユーザが知覚可能な印を備える、項目１４６に記載の方法。
（項目１４８）
前記拡張可能支持体を拡張し、前記開口部を密閉するステップは、前記拡張された拡張可能支持体を前記空間の形状に共形化させるステップを含む、項目１３８に記載の方法。
（項目１４９）
前記カテーテルを適用し、前記拡張可能支持体を位置付けるステップに先立って、前記空間の容積に応答して、前記拡張可能支持体のサイズを選択するステップをさらに含む、項目１３８に記載の方法。
（項目１５０）
前記組織は、前立腺の前立腺被膜を備え、前記近位開口部は、尿道への開口部を備え、前記遠位開口部は、前記前立腺と膀胱と間の膀胱頸部を備え、前記拡張可能支持体を位置付けるステップは、前記膀胱頸部に隣接して前記膀胱内に前記拡張可能支持体を位置付けるステップを含み、前記拡張可能支持体を拡張するステップは、前記膀胱頸部を密閉するステップを含む、項目１３８に記載の方法。
（項目１５１）
前記拡張可能支持体を拡張するステップは、前記前立腺被膜を少なくとも部分的に充填し、前記膀胱の中へ押出する拡張構成まで、前記拡張可能支持体を拡張するステップを含む、項目１５０に記載の方法。
（項目１５２）
拡張可能支持体は、前記膀胱の中へ押出するための剛性膀胱部分を備える、項目１５１に記載の方法。
（項目１５３）
前記拡張可能支持体は、遠位拡張可能支持体を備え、前記方法はさらに、
前記空間への前記組織の遠位開口部に隣接して、前記カテーテルに結合される近位拡張可能支持体を位置付けるステップと、
前記近位拡張可能支持体を拡張し、圧迫を前記空間内の前記組織に印加するステップと
を含む、項目１３８に記載の方法。
（項目１５４）
前記近位拡張可能支持体は、柔軟材料または非柔軟材料のうちの１つもしくはそれを上回るものから作製される、項目１５３に記載の方法。
（項目１５５）
前記拡張可能支持体を拡張するステップは、前記組織に対して前記拡張可能支持体にわたって配置されるメッシュを押圧するステップを含む、項目１３８に記載の方法。
（項目１５６）
前記拡張可能支持体を圧潰し、前記空間から前記圧潰された拡張可能支持体および前記カテーテルを後退させ、前記空間内に前記メッシュを残すステップをさらに含む、項目１５５に記載の方法。
（項目１５７）
前記メッシュは、少なくとも部分的に生体吸収性または再吸収性である、項目１５６に記載の方法。
（項目１５８）
前記メッシュは、血栓促進剤でコーティングされる、項目１５５に記載の方法。
（項目１５９）
前記血栓促進剤は、フィブリンまたはトロンビンのうちの１つもしくはそれを上回るものを含む、項目１５８に記載の方法。
（項目１６０）
前記拡張可能支持体を拡張するステップは、前記組織に対して前記拡張可能支持体にわたって配置される足場を押圧するステップを含む、項目１３８に記載の方法。
（項目１６１）
前記足場は、シリコーン成形ステントを備える、項目１５５に記載の方法。
（項目１６２）
前記拡張可能支持体を圧潰し、前記空間から前記圧潰された拡張可能支持体および前記カテーテルを後退させ、前記空間内に前記足場を残すステップをさらに含む、項目１５５に記載の方法。
（項目１６３）
時間遅延後に前記空間から前記足場を除去するステップをさらに含む、項目１６２に記載の方法。
（項目１６４）
前記時間遅延は、約１〜３日である、項目１６３に記載の方法。
（項目１６５）
前記バルーンは、止血剤でコーティングされる、項目１３８に記載の方法。
（項目１６６）
前記拡張可能支持体は、複数の細孔を備え、前記バルーンから、前記複数の細孔を通して、前記拡張された拡張可能支持体と前記組織の内面との間の前記空間の中へ治療剤を送達するステップをさらに含む、項目１３８に記載の方法。
（項目１６７）
前記空間の中へ前進される前記カテーテルの近位部分の外側表面上に位置付けられる、１つまたはそれを上回る印の目視もしくは触覚検査に応答して、前記カテーテルの場所を判定するステップをさらに含む、項目１３８に記載の方法。
（項目１６８）
前記１つまたはそれを上回る印は、前記カテーテルの前記近位部分の前記外側表面上に位置付けられる複数のバンドを備える、項目１６７に記載の方法。
（項目１６９）
対象内の空間を封入する組織に止血を提供する方法であって、前記方法は、
前記対象の血圧を受信するステップと、
前記組織内に封入される前記空間の中へ拡張可能支持体を有するカテーテルを前進させるステップと、
前記拡張可能支持体の第１の内圧を測定するステップと、
圧迫を前記組織に印加するために、前記受信された血圧に応答して、前記対象の前記血圧を上回る第２の内圧まで前記拡張可能支持体を拡張するステップと
を含む、方法。
（項目１７０）
拡張可能支持体は、膨張式バルーンを備え、前記拡張可能支持体を拡張するステップは、前記膨張式バルーンを膨張させるステップを含む、項目１６９に記載の方法。
（項目１７１）
対象の出血組織空間の内面によって画定される空洞内で非侵襲的に止血を提供するための装置であって、前記装置は、
前記組織空間の開口部を通して前記空洞の中へ前進されるように、かつ圧迫を前記出血組織空間の前記内面に印加するように構成される、拡張可能部材と、
前記拡張可能支持体に動作可能に結合され、（ｉ）前記対象の血圧を受信し、（ｉｉ）前記受信された血圧に応答して、前記拡張可能部材の拡張を制御するように構成される、プロセッサと
を備える、装置。
（項目１７２）
前記プロセッサはさらに、前記拡張可能部材が、圧迫を前記組織に印加するために、前記対象の前記受信された血圧を上回る内圧まで拡張されるように、前記拡張可能部材の拡張を制御するように構成される、項目１７１に記載の装置。
（項目１７３）
前記プロセッサは、前記拡張可能支持体の第１の内圧を測定し、前記受信された血圧に応答して、前記拡張可能部材を前記対象の前記血圧を上回る第２の内圧まで拡張させるように構成される、項目１７２に記載の装置。
（項目１７４）
前記拡張可能支持体は、膨張式バルーンを備え、前記コントローラは、前記膨張式バルーンの膨張を制御するように構成される、項目１７１に記載の装置。
（項目１７５）
止血を前立腺の前立腺被膜に提供するための装置であって、前記前立腺被膜は、空間を封入し、前記装置は、
遠位端および近位端を有するカテーテルと、
前記カテーテルの前記遠位端に隣接する拡張可能支持体アセンブリと
を備え、
前記カテーテルは、前記封入空間の中への開口部を通して、前記前立腺被膜で封入される前記空間の中へ前進されるように構成され、
前記拡張可能支持体アセンブリは、前記遠位開口部に隣接する膀胱頸部に沿って、前記前立腺被膜に係留し、前記前立腺被膜によって封入される前記空間を少なくとも部分的に充填するように構成される、拡張構成を有する、
装置。
（項目１７６）
前記拡張可能支持体アセンブリは、膨張式バルーンアセンブリを備える、項目１７５に記載の装置。
（項目１７７）
前記拡張可能支持体アセンブリの前記拡張構成は、遠位膀胱領域と、近位前立腺領域と、その間の頸部領域とを有する、砂時計形を備える、項目１７５に記載の装置。
（項目１７８）
頸部領域は、前記遠位膀胱領域および前記近位前立腺領域のうちの１つまたはそれを上回るものを上回る壁厚さを有する、項目１７７に記載の装置。
（項目１７９）
前記遠位膀胱領域は、剛性バルーンを備える、項目１７７に記載の装置。
（項目１８０）
前記拡張可能支持体アセンブリは、近位拡張可能支持体と、遠位拡張可能支持体とを備える、項目１７５に記載の装置。
（項目１８１）
前記遠位拡張可能支持体または前記近位拡張可能支持体は、拡張されたときに、球形、環状形、円筒形、円錐形、双対錐、不整形、またはダンベル形のうちの１つもしくはそれを上回るものを有するように構成される、項目１８０に記載の装置。
（項目１８２）
前記拡張可能支持体アセンブリは、前記前立腺の精丘との接触を低減させるように構成される拡張形状を有する、項目１７５に記載の装置。
（項目１８３）
前記拡張可能支持体アセンブリの外側表面の少なくとも一部は、テクスチャ加工される、項目１７５に記載の装置。
（項目１８４）
前記拡張可能支持体アセンブリは、可視化を補助する超音波高エコー輝度材料または放射線不透過性マーカのうちの１つもしくはそれを上回るものを備える、項目１７５に記載の装置。
（項目１８５）
前記拡張可能支持体アセンブリは、非一様な厚さを有する、項目１７５に記載の装置。
（項目１８６）
前記拡張可能支持体の前記非一様な厚さは、所定の形状を前記拡張可能支持体アセンブリに提供するように構成される、項目１８５に記載の装置。
（項目１８７）
前記非一様な厚さの拡張可能支持体アセンブリは、段階的に拡張されるように構成される、項目１８５に記載の装置。
（項目１８８）
前記拡張可能支持体アセンブリは、柔軟材料または非柔軟材料のうちの１つもしくはそれを上回るものを備える、項目１７５に記載の装置。
（項目１８９）
前記拡張可能支持体アセンブリの少なくとも一部は、止血剤でコーティングされる、項目１７５に記載の装置。
（項目１９０）
前記カテーテルは、その近位部分の外側表面上に配置される１つまたはそれを上回る印を備え、前記１つまたはそれを上回る印は、視覚的もしくは触覚的に点検され、前記組織に対する前記カテーテルの場所を判定するように構成される、項目１７５に記載の装置。
（項目１９１）
前記１つまたはそれを上回る印は、前記カテーテルの前記近位部分の前記外側表面上に位置付けられる複数のバンドを備える、項目１９０に記載の装置。
（項目１９２）
前記拡張可能支持体アセンブリの近位で前記カテーテル上に位置付けられるバルブをさらに備え、前記バルブは、前記拡張可能支持体アセンブリが、前記カテーテルの移動を最小限にするよう前記前立腺被膜の中に位置付けられるときに、前記尿管の中に位置付けられるように構成される、項目１７５に記載の装置。
（項目１９３）
前記バルブは、拡張可能または膨張可能である、項目１９２に記載の装置。
（項目１９４）
前記封入空間を可視化するスコープをさらに備える、前記項目のいずれか１項に記載の装置または方法。
（項目１９５）
前記組織封止剤が前記組織に送達されるときに、前記封入空間の組織を可視化するスコープをさらに備える、前記項目のいずれか１項に記載の装置または方法。
（項目１９６）
前記封入空間の組織およびバルーンを伴うシースを可視化するスコープをさらに備え、前記スコープは、前記組織空間を視認するシャフトを備え、前記シャフトは、長さを備え、前記バルーンを伴う前記シースは、前記バルーンの前記長さよりも小さく定寸される、近位端から遠位端までの長さを備える、前記項目のいずれか１項に記載の装置または方法。
（項目１９７）
治療剤をさらに備える、前記項目のいずれか１項に記載の装置または方法。
（項目１９８）
ゲルおよび治療剤の混合物をさらに備える、前記項目のいずれか１項に記載の装置または方法。
（項目１９９）
化学療法薬をさらに備える、前記項目のいずれか１項に記載の装置または方法。
（項目２００）
前記拡張可能支持体を拡張するステップは、複数の所定のサイズまで前記拡張可能支持体を連続的に拡張するステップを含む、前記項目のいずれか１項に記載の装置または方法。
（項目２０１）
前記拡張可能支持体は、段階的拡張を提供する非一様な厚さを有する、前記項目のいずれか１項に記載の装置または方法。
（項目２０２）
前記拡張可能支持体が前記空間または前立腺被膜内で拡張された状態で、張力を前記カテーテルに印加するステップをさらに含む、前記項目のいずれか１項に記載の装置または方法。
（項目２０３）
張力を前記カテーテルに印加するステップは、前記カテーテルの近位部分を事前選択された重量に結合するステップを含む、前記項目のいずれか１項に記載の装置または方法。
（項目２０４）
前記事前選択された重量は、スターラップまたはベッドフレームのうちの１つもしくはそれを上回るものに結合される、前記項目のいずれか１項に記載の装置または方法。
（項目２０５）
前記事前選択された重量は、流体コンテナを備える、前記項目のいずれか１項に記載の装置または方法。
（項目２０６）
前記事前選択された重量によって前記カテーテルに印加される張力を測定するステップをさらに含む、前記項目のいずれか１項に記載の装置または方法。
（項目２０７）
前記張力は、前記カテーテルに結合される張力測定要素またはスケールを用いて測定される、前記項目のいずれか１項に記載の装置または方法。
（項目２０８）
前記事前選択された重量は、測定された血圧に応答して選択される、前記項目のいずれか１項に記載の方法。
（項目２０９）
身体部材の中へ前進されるカテーテルの位置を維持するための装置であって、前記装置は、
前記身体部材および少なくとも部分的に前記身体部材内に位置付けられる前記カテーテルを封入するように適合される、エンクロージャ
を備え、
前記エンクロージャは、前記身体部材に共形化し、圧力を印加し、前記身体部材を封入するときに前記エンクロージャの再配置に抵抗するように成形され、
前記エンクロージャの遠位先端は、前記身体部材から外へ延在する前記カテーテルの区画に結合するように構成される、
装置。
（項目２１０）
前記身体部材は、陰茎を備え、前記カテーテルは、尿道口から外へ延在している、項目２０９に記載の装置。
（項目２１１）
前記可撓性エンクロージャは、前記陰茎を封入するときに前記陰茎の尿道と同心円状であるように構成される、項目２１０に記載の装置。
（項目２１２）
前記エンクロージャは、可撓性エンクロージャを備える、項目２０９に記載の装置。
（項目２１３）
エンクロージャは、前記区画に結合される保定装置要素を通して、前記身体部材から外へ延在する前記カテーテルの前記区画に結合されるように構成される、項目２０９に記載の装置。
（項目２１４）
前記保定装置要素は、前記身体部材の組織に対する刺激を最小限にする軟質の柔軟材料を備える、項目２１３に記載の装置。
（項目２１５）
エンクロージャは、形状が少なくとも部分的に円筒形である、項目２０９に記載の装置。
（項目２１６）
前記カテーテルは、尿道、前立腺の前立腺被膜、または膀胱のうちの１つもしくはそれを上回るものの内側で拡張され、その中に引っ掛けられるように構成される、１つまたはそれを上回る拡張可能支持体を備える、項目２０９に記載の装置。
（項目２１７）
前記エンクロージャは、骨盤または鼠径部マウントに結合されるように構成される、項目２０９に記載の装置。
（項目２１８）
前記身体部材は、陰茎を備え、前記骨盤または鼠径部マウントは、前記エンクロージャおよび前記陰茎を引き寄せ、前記陰茎の尿道を尿道括約筋と整合させるように構成される、項目２１７に記載の装置。
（項目２１９）
前記カテーテルまたは前記可撓性エンクロージャのうちの１つもしくはそれを上回るものに結合し、前記尿道を前記尿道括約筋と整合させるように構成される、張力要素をさらに備える、項目２０９に記載の装置。
（項目２２０）
前記張力要素に結合するように構成される、張力測定要素またはスケールをさらに備える、項目２１９に記載の装置。
（項目２２１）
身体部材の中へ前進されるカテーテルの位置を維持するための方法であって、前記方法は、
前記カテーテルの近位区画が可撓性エンクロージャの遠位先端から延在するように、少なくとも部分的にエンクロージャ内に前記身体部材を封入するステップと、
前記エンクロージャの遠位先端を、前記身体部材から外へ延在する前記カテーテルの前記近位区画に結合するステップと、
を含み、前記エンクロージャは、前記身体部材に共形化し、圧力を印加し、前記身体部材を封入するときに前記エンクロージャの再配置に抵抗するように成形される、
方法。
（項目２２２）
前記身体部材は、陰茎を備え、前記カテーテルは、尿道口から外へ延在している、項目２２１に記載の方法。
（項目２２３）
少なくとも部分的に前記エンクロージャ内に前記身体部材を封入するステップは、前記陰茎の尿道と同心円状であるように前記可撓性エンクロージャを位置付けるステップを含む、項目２２２に記載の方法。
（項目２２４）
前記エンクロージャは、可撓性エンクロージャを備える、項目２２１に記載の方法。
（項目２２５）
エンクロージャは、前記区画に結合される保定装置要素を通して、前記身体部材から外へ延在する前記カテーテルの前記区画に結合されるように構成される、項目２２１に記載の方法。
（項目２２６）
エンクロージャは、形状が少なくとも部分的に円筒形である、項目２２１に記載の方法。
（項目２２７）
前記保定要素は、前記身体部材の組織に対する刺激を最小限にする軟質の柔軟材料を備える、項目２２１に記載の方法。
（項目２２８）
尿道、前立腺の前立腺被膜、または膀胱のうちの１つもしくはそれを上回るものの内側で前記カテーテルの１つまたはそれを上回る拡張可能支持体を拡張し、その中に引っ掛けられるステップをさらに含む、項目２２１に記載の方法。
（項目２２９）
前記エンクロージャを骨盤または鼠径部マウントに結合する、項目２２１に記載の方法。
（項目２３０）
前記身体部材は、陰茎を備え、前記骨盤または鼠径部マウントを用いて前記エンクロージャおよび前記陰茎を引き寄せ、前記陰茎の尿道を尿道括約筋と整合させるステップをさらに含む、項目２２９に記載の方法。
（項目２３１）
張力要素を前記カテーテルまたは前記可撓性エンクロージャのうちの１つもしくはそれを上回るものに結合し、前記尿道を前記尿道括約筋と整合させるステップをさらに含む、項目２２１に記載の方法。
（項目２３２）
それに結合された張力測定要素またはスケールを使用して、前記張力要素によって印加される張力を測定するステップをさらに含む、項目２３１に記載の方法。
（項目２３３）
身体部材の中へ前進されるカテーテルの位置を維持するための装置であって、前記装置は、
骨盤または鼠径部にわたって設置されるように構成される基部と、
前記基部に結合され、そこから延在する、少なくとも１つの延在支柱であって、前記基部および前記少なくとも１つの延在支柱は、陰茎または陰嚢のうちの１つもしくはそれを上回るものがそれを通過するための収容空間を画定する、少なくとも１つの延在支柱と、
前記少なくとも１つの延在支柱に結合され、前記カテーテルに解放可能に結合するように構成される、保定装置要素と
を備える、装置。
（項目２３４）
前記基部は、前記骨盤または鼠径部の形状に合致するように輪郭形成される骨盤または鼠径部マウントを備える、項目２３３に記載の装置。
（項目２３５）
前記基部は、前記カテーテルが前記基部の外部から前記基部の周辺内および前記収容空間内まで通過することを可能にする開口部を有する、項目２３３に記載の装置。
（項目２３６）
前記基部は、Ｕ字形である、項目２３３に記載の装置。
（項目２３７）
前記基部は、軟質被覆を伴う可鍛性ワイヤを備える、項目２３３に記載の装置。
（項目２３８）
前記少なくとも１つの延在支柱は、ヒンジを用いて前記基部に結合される、項目２３３に記載の装置。
（項目２３９）
前記ヒンジは、調節可能である、項目２３８に記載の装置。
（項目２４０）
前記保定装置要素は、前記カテーテルまたは前記カテーテルに結合される医療テープフラグのうちの１つもしくはそれを上回るものを圧着するためのクランプを備える、項目２３３に記載の装置。
（項目２４１）
前記少なくとも１つの延在支柱に結合される調節可能張力機構をさらに備える、項目２３３に記載の装置。
（項目２４２）
前記少なくとも１つの延在支柱に結合される張力測定要素またはスケールをさらに備える、項目２４１に記載の装置。
（項目２４３）
前記調節可能張力機構は、前記カテーテルのストローク長にわたって実質的に一定の張力を前記カテーテルに印加するように構成される、定力ばねを備える、項目２４１に記載の装置。
（項目２４４）
前記カテーテルの前記ストローク長は、約０．５ｃｍ〜約８ｃｍの範囲内である、項目２４３に記載の装置。
（項目２４５）
前記基部に対する前記保定装置部材の位置は、前記カテーテルに印加される張力を調節するように調節可能である、項目２３３に記載の装置。
（項目２４６）
前記少なくとも１つの延在支柱は、剛性結合部を用いて前記骨盤または鼠径部マウントに結合される、項目２３３に記載の装置。
（項目２４７）
前記少なくとも１つの延在支柱は、丸みを帯びている、項目２３３に記載の装置。
（項目２４８）
前記基部に結合されるベルトまたはストラップをさらに備え、前記ベルトまたはストラップは、患者の少なくとも一部に巻着されて縛り付けられ、前記骨盤または鼠径部にわたる前記基部の位置を維持するように構成される、項目２３３に記載の装置。
（項目２４９）
前記少なくとも１つの延在支柱は、複数の延在支柱を備え、前記基部および前記複数の延在支柱は、前記収容空間を画定する、項目２３３に記載の装置。
（項目２５０）
前記延在支柱のうちの２つまたはそれを上回るものを相互に結合する、クロス部材をさらに備える、項目２４９に記載の装置。
（項目２５１）
前記保定装置要素は、前記クロス部材と前記基部との間に位置付けられる、項目２５０に記載の装置。
（項目２５２）
前記装置は、平坦なパッケージに圧潰可能である、項目２３３に記載の装置。
（項目２５３）
身体部材の中へ前進されるカテーテルの位置を維持するための方法であって、前記方法は、
基部に陰茎または陰嚢のうちの１つもしくはそれを上回るものを通過させ、前記基部および前記基部に結合されてそこから延在する少なくとも１つの延在支柱によって画定される収容空間内に、前記陰茎または陰嚢のうちの前記１つもしくはそれを上回るものを封入するステップと、
前記カテーテルを前記少なくとも１つの延在支柱に結合される保定要素に結合するステップと
を含む、方法。
（項目２５４）
前記基部は、前記骨盤または鼠径部の形状に合致するように輪郭形成される骨盤または鼠径部マウントを備える、項目２４９に記載の方法。
（項目２５５）
前記基部の外部から前記基部の開口部を通して、前記基部の周辺内および前記収容空間内までカテーテルを通過させることをさらに含む、項目２４９に記載の方法。
（項目２５６）
前記少なくとも１つの延在支柱を前記基部に結合するヒンジを用いて、前記基部に対する前記少なくとも１つの延在支柱の角度を調節するステップをさらに含む、項目２４９に記載の方法。
（項目２５７）
医療テープを前記カテーテルに結合してフラグを形成し、前記保定装置要素のクランプを用いて前記カテーテルまたは前記医療テープフラグのうちの１つもしくはそれを上回るものを圧着するステップをさらに含む、項目２４９に記載の方法。
（項目２５８）
前記少なくとも１つの延在支柱に結合される調節可能張力機構を用いて、前記保定装置要素およびそれに結合された前記カテーテルに印加される張力を調節するステップをさらに含む、項目２５７に記載の方法。
（項目２５９）
前記少なくとも１つの延在支柱に結合される張力測定要素またはスケールを用いて、前記保定装置要素およびそれに結合された前記カテーテルに印加される張力を測定するステップをさらに含む、項目２５８に記載の方法。
（項目２６０）
前記張力を調節するステップは、前記カテーテルを結合する前記保定装置要素と前記骨盤または鼠径部にわたる前記基部との間の距離を調節するステップをさらに含む、項目２５８に記載の方法。
（項目２６１）
前記調節可能張力機構は、前記カテーテルのストローク長にわたって実質的に一定の張力を前記カテーテルに印加するように構成される、定力ばねを備える、項目２５８に記載の方法。
（項目２６２）
前記カテーテルの前記ストローク長は、約０．５ｃｍ〜約８ｃｍの範囲内である、項目２６１に記載の方法。
（項目２６３）
前記基部に結合されるベルトまたはストラップを前記患者の少なくとも一部に巻着し、前記骨盤または鼠径部にわたる前記基部の位置を維持するステップをさらに含む、項目２４９に記載の方法。
（項目２６４）
前記少なくとも１つの延在支柱は、複数の延在支柱を備え、前記基部および前記複数の延在支柱は、前記収容空間を画定する、項目２４９に記載の方法。
（項目２６５）
前記基部、前記少なくとも１つの延在支柱、および前記保定装置要素を平坦なパッケージに圧潰するステップをさらに含む、項目２４９に記載の方法。
（項目２６６）
空間を封入する組織に治療を提供するための方法であって、前記方法は、
カテーテルの少なくとも一部が患者の身体の外側に延在するように、前記組織内に封入される前記空間の中へ前記カテーテルを前進させるステップと、
前記組織内に封入される前記空間内で前記カテーテルの拡張可能部材を拡張するステップと、
定力ばねを用いて張力を前記カテーテルに印加するステップと
を含む、方法。
（項目２６７）
前記定力ばねを、患者の前記身体の外側に延在する前記カテーテルの少なくとも前記一部に結合するステップをさらに含む、項目２６６に記載の方法。
（項目２６８）
前記組織は、前立腺被膜を備え、前記カテーテルは、前記患者の陰茎から前記患者の前記身体の外側に延在する、項目２６７に記載の方法。
（項目２６９）
前記定力ばねは、前記患者の足に向かって張力を前記カテーテルに印加するように、前記患者の脚に結合される、項目２６８に記載の方法。
（項目２７０）
前記定力ばねは、前記患者の頭部に向かって張力を前記カテーテルに印加するように、前記患者の腹部、胸部、腕、頸部、または頭部のうちの１つもしくはそれを上回るものに結合される、項目２６８に記載の方法。
（項目２７１）
張力を前記カテーテルに印加するステップは、前記カテーテルの少なくともストローク長にわたって実質的に一定の張力を前記カテーテルに印加するステップを含む、項目２６６に記載の方法。
（項目２７２）
前記実質的に一定の張力は、前記カテーテルの前記ストローク長にわたって約２５％以内に印加される、項目２７１に記載の方法。
（項目２７３）
前記実質的に一定の張力は、前記カテーテルの前記ストローク長にわたって約５０％以内に印加される、項目２７１に記載の方法。
（項目２７４）
前記カテーテルの前記ストローク長は、約０．５ｃｍ〜約８ｃｍの範囲内である、項目２７１に記載の方法。
（項目２７５）
前記カテーテルの前記ストローク長は、約１ｃｍ〜約８ｃｍの範囲内である、項目２７１に記載の方法。
（項目２７６）
前記カテーテルの前記ストローク長は、約１ｃｍ〜約５ｃｍの範囲内である、項目２７１に記載の方法。
（項目２７７）
前記カテーテルの前記ストローク長は、約２ｃｍ〜約３ｃｍの範囲内である、項目２７１に記載の方法。